(57)【要約】【課題】暗闇の中で楽しむことが出来る卓球遊技装置を提供することである。【解決手段】卓球遊技装置１０は、暗闇の中での遊技のための卓球遊技装置１０であって、遊技のために必要な所定の面積を有する卓球遊技用板部１２と、卓球遊技用板部１２の端部を発光させるための発光部１４と、蛍光物質を有する卓球ボール１６と、蛍光物質を有する卓球ラケット１８と、卓球遊技用板部１２上の所定の領域に紫外線を照射して、当該所定の領域内に存在する卓球ボール１６及び卓球ラケット１８を発光させる紫外線照射部２０と、を備えることを特徴とする。【選択図】図１
2019165983.tif 000002
【特許請求の範囲】
【請求項１】
暗闇の中での遊技のための卓球遊技装置であって、
前記遊技のために必要な所定の面積を有する卓球遊技用板部と、
前記卓球遊技用板部の端部を発光させるための発光部と、
蛍光物質を有する卓球ボールと、
前記蛍光物質を有する卓球ラケットと、
前記卓球遊技用板部上の所定の領域に紫外線を照射して、前記所定の領域内に存在する前記卓球ボール及び前記卓球ラケットを発光させる紫外線照射部と、
を備えることを特徴とする卓球遊技装置。
【請求項２】
請求項１に記載の卓球遊技装置において、
前記卓球遊技用板部は、円形であり、
前記発光部は、前記円形の端部に沿って設けられた環状を有していることを特徴とする卓球遊技装置。
【請求項３】
請求項１または請求項２に記載の卓球遊技装置において、
前記卓球遊技用板部は、
前記紫外線を透過させる透過性材料で構成される天板部と、
前記天板部を支持する脚部であって、前記天板部を介して前記紫外線を前記所定の領域に向けて照射するように前記紫外線照射部が設けられた脚部と、
を有することを特徴とする卓球遊技装置。
【請求項４】
請求項３に記載の卓球遊技装置において、
前記脚部には、音を発生する音響機器部を備えており、
前記発光部は、前記音響機器部から発生される音に連動して、発光する色を変更することを特徴とする卓球遊技装置。
【発明の詳細な説明】
【技術分野】
【０００１】
本発明は、卓球遊技装置に関する。
【背景技術】
【０００２】
従来、卓球台、卓球ラケット及び卓球ボールを用いて、卓球の競技などがなされている。本発明に関連する技術として、例えば、特許文献１には、台面に落下させるピンポン球に放物線状の軌跡を与える傾斜角度を備えた卓球台が開示されており、ここでは、当該卓球台が台面の回転を案内する機構を更に備え、且つ機構が台面の回転軸の所定又は任意の角度を少なくとも一時的に維持することが述べられている。
【０００３】
また、特許文献２には、下端にキャスターを備えた支持脚と、支持脚に支持された天板と、天板を略垂直となる垂直姿勢と略水平となる水平姿勢とに回動自在に支持する天板支持手段と、天板支持手段によって支持された天板を垂直姿勢に保持するストッパーとを有する卓球台において、ストッパーは、天板側と支持脚側のいずれか一方側に設けられた永久磁石と、他方側に設けられ、永久磁石に吸着される磁性体とによって構成されていることが開示されている。
【先行技術文献】
【特許文献】
【０００４】
【特許文献１】特開２０１５−３７４５８号公報
【特許文献２】特開２０１０−１６２１２９号公報
【発明の概要】
【発明が解決しようとする課題】
【０００５】
従来の卓球台は、シングルスあるいはダブルスで対戦するために矩形の卓球台面を備えており、体育館など照明がついた明るい室内で競技を行うのが一般的である。
【０００６】
本発明の目的は、暗闇の中で楽しむことが出来る卓球遊技装置を提供することである。
【課題を解決するための手段】
【０００７】
本発明に係る卓球遊技装置は、暗闇の中での遊技のための卓球遊技装置であって、前記遊技のために必要な所定の面積を有する卓球遊技用板部と、前記卓球遊技用板部の端部を発光させるための発光部と、蛍光物質を有する卓球ボールと、前記蛍光物質を有する卓球ラケットと、前記卓球遊技用板部上の所定の領域に紫外線を照射して、前記所定の領域内に存在する前記卓球ボール及び前記卓球ラケットを発光させる紫外線照射部と、を備えることを特徴とする。
【０００８】
また、本発明に係る卓球遊技装置において、前記卓球遊技用板部は、円形であり、前記発光部は、前記円形の端部に沿って設けられた環状を有していることが好ましい。
【０００９】
また、本発明に係る卓球遊技装置において、前記卓球遊技用板部は、前記紫外線を透過させる透過性材料で構成される天板部と、前記天板部を支持する脚部であって、前記天板部を介して前記紫外線を前記所定の領域に向けて照射するように前記紫外線照射部が設けられた脚部と、を有することが好ましい。
【００１０】
また、本発明に係る卓球遊技装置において、前記脚部には、音を発生する音響機器部を備えており、前記発光部は、前記音響機器部から発生される音に連動して、発光する色を変更することが好ましい。
【発明の効果】
【００１１】
本発明によれば、卓球遊技用板部の端部が発光し、卓球ボールと卓球ラケットも発光するため、暗闇の中でも卓球を行うことができ、新しいスタイルの卓球を楽しむことが出来るという顕著な効果を奏する。
【図面の簡単な説明】
【００１２】
【図１】本発明に係る実施形態において、卓球遊技装置の全体構成を示す図である。
【図２】本発明に係る実施形態において、卓球遊技装置の卓球遊技用板部の平面図及びＡ−Ａ線断面図である。
【図３】本発明に係る実施形態の卓球遊技装置において、暗闇の中で卓球を楽しんでいる様子を示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、卓球遊技装置１０の全体構成を示す図である。図２は、卓球遊技装置１０の卓球遊技用板部１２の平面図及びＡ−Ａ線断面図である。図３は、卓球遊技装置１０において、暗闇の中で卓球を楽しんでいる様子を示す図である。
【００１５】
卓球遊技装置１０は、暗闇の中で遊技を行うための装置である。卓球遊技装置１０は、卓球遊技用板部１２と、発光部１４と、卓球ボール１６と、卓球ラケット１８と、紫外線照射部２０と、音響機器部２２とを備えている。なお、発光部１４、紫外線照射部２０及び音響機器部２２は、図示しない電力源から供給される電力によって動作する。
【００１６】
卓球遊技用板部１２は、遊技のために必要な所定の面積を有する天板部２４と、天板部２４を支持する脚部２６とを備える。
【００１７】
天板部２４は、紫外線を透過させる透過性材料で構成される。天板部２４は、円形を有している。天板部２４の直径は、所定の径（例えば、２ｍ）に設定することが出来るが、もちろん、適宜変更することが出来る。
【００１８】
天板部２４は、所定の厚み（例えば、５ｃｍ〜１０ｃｍ）を有する一枚のアクリル板で構成されるものとして説明するが、二枚のアクリル板を重ね合わせ、二枚のアクリル板の間に装飾用のフィルムを挟み込んでもよい。装飾用のフィルムは、様々な用途に応じて使い分けることができ、例えば、広告的機能を持たせてもよいし、ゲーム性を持たせてもよい。
【００１９】
天板部２４上には、ここでは卓球ネットを設けないものとして説明するが、もちろん、卓球ネットを設けてもよい。このとき、卓球ネットに後述する卓球ボール１６や卓球ラケット１８と同様の蛍光塗料を塗布することで、暗闇でも卓球ネットの存在を際立たせることができる。
【００２０】
脚部２６は、天板部２４の下部に固定され、天板部２４を所定の高さ位置（例えば、７０〜８０ｃｍ）となるように天板部２４を支持する構造を有している。脚部２６の形状は、天板部２４を支持するのに適した構造であるとともにデザイン性に優れた脚の構造にすることも可能である。
【００２１】
脚部２６は、板部２４を介して紫外線を所定の領域に向けて照射するように紫外線照射部２０及び音響機器部２２が設けられており、図１の例では、平面視で中央部に４つの紫外線照射部２０と１つの音響機器部２２が装着されている。
【００２２】
４つの紫外線照射部２０は、脚部２６の中央部から上方に向けて設けられ、照射された紫外線は透明性材料で構成された天板部２４を通過して、天板部２４の上方の所定の領域を網羅するように照射する。ここで、「所定の領域」とは、ユーザー２が卓球遊技装置１０の周囲に立って卓球をする際に、卓球ラケット１８や卓球ボール１６が移動する三次元の領域を意味している。
【００２３】
紫外線照射部２０は、所謂ブラックライトと呼ばれており、光自体は人間の目にほとんど見えない紫外線を照射し、当てた物体はその中に含まれる蛍光体だけを発光させる装置である。紫外線の波長としては、３９０ｎｍ以下のものが好ましく、３６５ｎｍ〜３８０ｎｍの範囲で設定することがより好ましい。
【００２４】
発光部１４は、卓球遊技用板部１２の端部を発光させるＬＥＤ照明装置である。発光部１４は、ＲＧＢ（赤・緑・青）の三色を表示可能な発光素子を含んで構成される。発光部１４は、卓球遊技用板部１２の端部に沿って環状に形成された凹部の内部に収納される円環状の形状を有している。この凹部と紫外線照射部２０の間には、フロスト乳白色のガラスが挿入されている。
【００２５】
卓球ボール１６は、蛍光物質を含むように構成される。蛍光物質としては、例えば、紫外線照射部２０から照射されたエネルギーを吸収することで電子が励起して発光する機能を有する蛍光塗料が卓球ボール１６の球面に塗布されている。
【００２６】
卓球ラケット１８は、蛍光物質を含むように構成される。蛍光物質として、卓球ラケット１８に塗布される蛍光塗料であるものとして説明するが、もちろん、異なる蛍光物質であってもよい。この蛍光塗料が卓球ラケット１８のラバー部分や持ち手の部分に塗布されている。
【００２７】
音響機器部２２は、ユーザー２などが望む音楽を流す装置である。音響機器部２２は、音声処理部２８と、制御部３０と、スピーカー３２とを備えている。
【００２８】
音声処理部２８は、音声信号に対して増幅処理などを行った後に、スピーカー３２を介して音楽を出力させる装置である。スピーカー３２は、例えば、２ウエイ（高音・低音に分割する）、あるいは３ウエイ（高音・中音・低音に３分割する）のスピーカーシステムを備えたものとすることが出来る。
【００２９】
制御部３０は、ユーザー２が操作することで、所望の音楽をスピーカー３２から流れるように制御を行う機能を有している。また、制御部３０は、ユーザー２の操作によって、音楽に連動して、発光部１４から発光される色を変更させる機能を有している。
【００３０】
ユーザー２の操作の方法としては、様々な方法が考えられるが、例えば、ユーザー２が所有するスマートフォンなどの携帯端末に専用のアプリケーションソフトウェアをダウンロードして操作することができる。
【００３１】
続いて、上記構成の卓球遊技装置１０の作用について説明する。従来の卓球台は、シングルスあるいはダブルスで対戦するために矩形の卓球台面を備えており、体育館など照明がついた明るい室内で競技を行われている。競技の観点では、従来のままでよいが、ゲームセンターやビリーヤード場などのように屋内で卓球を楽しむことが従来の卓球台では出来なかった。
【００３２】
しかしながら、卓球遊技装置１０によれば、発光部１４によって卓球遊技用板部１２の端部が光るため、ユーザー２は暗闇でも外形をとらえることができる。また、紫外線照射部２０によって卓球遊技用板部１２上で卓球ラケット１８や卓球ボール１６が移動する領域に向けて紫外線が照射されているため、卓球ラケット１８及び卓球ボール１６が光って暗闇でも位置を確認することができる。
【００３３】
これにより、二人のユーザー２が暗闇で卓球を楽しむために、卓球遊技用板部１２の外形と卓球ラケット１８及び卓球ボール１６の位置が分かるため、暗闇でも卓球を行うことが出来き、今までに無かった卓球の楽しみ方が出来るという利点がある。
【００３４】
また、卓球遊技装置１０によれば、卓球遊技用板部１２が円形であるため、複数のユーザー２が円の周りに均等な位置に立つことで、従来のようなシングルス、ダブルスという競技の枠にとらわれずに、例えば、全員で卓球を競うといった楽しみ方もできるという利点がある。
【００３５】
さらに、卓球遊技装置１０によれば、音響機器部２２からユーザー２の好みの音楽が流れてくるとともに、その音楽の店舗に合わせて発光部１４の色が変わるため、より面白味を感じて卓球を楽しむことができるという顕著な効果を奏する。
【符号の説明】
【００３６】
２  ユーザー、１０  卓球遊技装置、１２  卓球遊技用板部、１４  発光部、１６  卓球ボール、１８  卓球ラケット、２０  紫外線照射部、２２  音響機器部、２４  天板部、２６  脚部、２８  音声処理部、３０  制御部、３２  スピーカー。
【図１】
2019165983.tif 000003
【図２】
2019165983.tif 000004
【図３】
2019165983.tif 000005